(57)【特許請求の範囲】
【請求項１】
一方側の縁を軸とした状態で、他方側の縁を上下動させられる屋根材の当該他方側の縁を上下動させるための屋根材の昇降機構であって、
前記屋根材の前記他方側の縁に対してその一端が回動可能に接続されており、且つその他端が駆動手段による駆動力によって昇降動する昇降部に回動可能に接続されていると共に、当該一端と他端とを結ぶ方向を深さ方向とする溝部が設けられた回動部材と、
前記屋根材が最下方位置にあるときに、前記溝部に嵌ることで、前記溝部に係止される係止体と、
を備えてなり、
前記昇降部は、前記回動部材の上方向から前記回動部材にその先端を垂らされた線状体の先端であり、前記駆動手段が前記線状体を巻き解き、或いは巻き取ることで、前記昇降部が昇降動を行うようになっているとともに、
前記回動部材は、前記昇降部が下降しきって、前記昇降部から力を受けなくなった場合、前記屋根材と接続された上記一端を軸として回動し、前記昇降部と接続された他端を下げるようにされ、それにより前記溝部が前記係止体と係止されるようになっている、
屋根材の昇降機構。
【請求項２】
前記屋根材は、膜材を含んでなる、
請求項１記載の昇降機構。
【請求項３】
前記回動部材は、断面略Ｕ字型の部材であり、前記一端は、前記Ｕ字の一方の直線部分の先端近傍であり、前記他端は当該直線部分の基端近傍であり、前記溝部は前記Ｕ字の両直線部分に挟まれた部分である、
請求項１記載の昇降機構。
【発明の詳細な説明】
【０００１】
【発明の属する技術分野】
本発明は、一方側の縁を軸とした状態で、他方側の縁を上下動させられる屋根材の当該他方側の縁を上下動させるための屋根材の昇降機構に関する。
【０００２】
【従来の技術】
一方側の縁を軸とした状態で、他方側の縁を上下動させられる屋根材の当該他方側の縁を上下動させるための屋根材が存在する。このような屋根材は、屋根の下方の空間を必要に応じて変化させられるため、有用なものである。
かかる屋根材の昇降は、昇降機構により行われる。
一般的な昇降機構は、駆動手段と、この駆動手段により巻き解かれ、或いは巻き取られる線状体とを含んで構成される。線状体の先端は、屋根材の上記他方側の縁に接続される。
この昇降機構によれば、線状体の巻き解きにより、膜材の上記他方側の縁を下方に移動させることができ、また、線状体の巻取りにより膜材の上記他方側の縁を上方に移動させることができる。
【０００３】
ところで、このような屋根材には、例えば下方側からの圧によって上方へ移動させるような力が掛かることがある。従って、屋根材に昇降機構を付設する場合には、下方に位置する屋根材に上方向の力がかかった場合でも、屋根材が上方向に勝手に移動しないようにするためのロック機構を併設するのが通常である。
【０００４】
屋根材に上述の如き昇降機構とロック機構とを併設すれば、確かに屋根材を昇降動させるには十分である。しかしながら、屋根材を下方に移動させるたびにロック機構を操作してロックを行い、また、屋根材を上方に移動させるたびにロック機構を操作して解除を行うのは、屋根材を管理する者にとってはなはだ面倒である。
【０００５】
【発明が解決しようとする課題】
本発明は、かかる不具合を解消せんとするものであり、ロック機構が有していた機能を有すると共に、何らの操作を行わなくても必要に応じてロックを行い、或いは解除できる昇降機構を提供することをその課題とする。
【０００６】
【課題を解決するための手段】
本出願人は、かかる課題を解決するために、以下の昇降機構を提案する。
本発明の屋根材の昇降機構は、一方側の縁を軸とした状態で、他方側の縁を上下動させられる屋根材の当該他方側の縁を上下動させるための屋根材の昇降機構である。
そして、この屋根材の昇降機構は、前記屋根材の前記他方側の縁に対してその一端が回動可能に接続されており、且つその他端が駆動手段による駆動力によって昇降動する昇降部に回動可能に接続されていると共に、当該一端と他端とを結ぶ方向を深さ方向とする溝部が設けられた回動部材と、前記屋根材が最下方位置にあるときに、前記溝部に嵌ることで、前記溝部に係止される係止体と、を備えてなる。溝部は、例えば、前記一端と他端との間に設けることができる。
この屋根材の昇降機構は、駆動手段により昇降動する昇降部に接続されている回動部材を昇降部と共に昇降動させ、これに伴って回動部材に接続されている膜材の上記他端側の縁を昇降動させることで、膜材の昇降動を行わせるようになっている。
ここで、昇降部が下降している、換言すれば、前記昇降部から上向きの力を受けている場合には、回動部材は、溝の開口を下方に向けるようになっている。従って、下降してくる回動部材の溝は、上方から係止体に被さり、これにより、溝の中に係止体が存在する状態が作られることになる。
昇降部が下降しきって、昇降部から力を受けなくなった場合、回動部材は、膜材と接続された上記一端を軸として回動し、昇降部と接続された他端を下げることになる。これに伴い、回動部材の開口は、屋根材の方向（例えば、横や、斜め上方向）を向くことになる。
この状態で、屋根材に上向きの力が働き、屋根材から回動部材に上向きの力が働いても、上記溝は、係止体と係止しているので、屋根材が上方に移動することはない。
他方、屋根材を上昇させるべく、駆動手段により昇降部を上昇させると、昇降部を下降させた場合と同様、回動部材に昇降部から上向きの力が働く。この場合には、上述したように、回動部材の溝は下方に向く。これにより、昇降部を上昇させると、係止体と溝の係止は自然に外れ、回動部材に引き上げられる屋根材は上昇を行うことになる。
係止体と溝を係止させる、或いはその係止を解除するという以上説明した動作は、昇降部を昇降動させる際にすべて自動的に行われる。
従って、この屋根材の昇降機構は、ロック機構を使わずとも、ロック機構がある場合と同様の効果を得られるのみならず、ロック機構でロックを行う、或いはその解除を行うといった操作も必要としないものとなる。
【０００７】
上述した昇降部は、どのようなものでも構わない。例えば、昇降部を線状体の先端とすることができる。この場合、上述の駆動手段はこの線状体を巻き解き、或いは巻き取ることで、線状体の先端を昇降動させるようになっている、例えばウインチとすることができる。
【０００８】
上述した屋根材は、どのようなものでも構わない。例えば、膜材とする、或いは膜材を含むものとすることができる。膜材は、上述した昇降動を行わせる屋根材に用いられることが多く、また風に煽られた場合に、上向きの力が働きやすいので、本発明の昇降機構を用いた場合の効果が顕著にあらわれる。
【０００９】
回動部材は、上述したようなものであれば、その具体的な構成は問わない。例えば、回動部材は、断面略Ｕ字型の部材であり、前記一端は、前記Ｕ字の一方の直線部分の先端近傍であり、前記他端は当該直線部分の基端近傍であり、前記溝部は前記Ｕ字の両直線部分に挟まれた部分とすることができる。
【００１０】
【発明の実施の形態】
以下、図１乃至５を参照しながら、本発明の好ましい一実施形態について説明する。
この実施形態における屋根材の昇降構造は、図１に示したような建造物に応用される。
【００１１】
この建物は、壁Ｋと、その上に設けられた梁Ｈと、更にその上に設けられた屋根Ｙとを備えている。
梁Ｈは、鉄筋を組んで構成されている。
この実施形態における屋根Ｙは、屋根材１０を２つ含んでいる。この実施形態では、図１中左側に位置する屋根材１０を第１屋根材、右側に位置する屋根材１０を第２屋根材と呼ぶこととする。両屋根材１０は共に、図２に示したように、膜材１１と、複数本の骨材１２とを備えている。
膜材１１は、これには限られないが、矩形に形成されており、その材質は樹脂製とされている。また、この限りではないが、この膜材１１は、透光性を有している。それ故、太陽光は、膜材１１を通して屋根Ｙの下方にも導かれる。
骨材１２は、弓形に曲げられた金属製の棒状体である。そして、その両端は、膜材１１の一辺と、それに対向する辺との対応する位置に、それぞれ固定されている。骨材１２には、直線状に戻ろうとする力が働く。それ故、膜材１１には２つの辺の間で引っ張られるようなテンションがかかり、その平滑性が保たれるので、この屋根材１０は見た目に優れたものとなる。
【００１２】
この実施形態における２つの屋根材１０のうち第１屋根材１０は、その一辺を梁Ｈに固定されている。固定された当該一辺と対向する辺は、支柱Ｓにより支えられて、固定された上記一辺よりも高い位置に位置するようにされている。つまり、第１屋根材１０中の膜材１１は、固定された辺からそれと対向する辺に向かって、登っていくような傾斜を形成するようになっている。
第１屋根材１０の支柱Ｓに指示された辺に、第２屋根材１０の一辺が接続されている。この接続は、第１屋根材１０と接続された第２屋根材１０の当該接続されている辺を軸とした第２屋根材１０の回動を許容するものとされており、例えば、ヒンジ接続にてこの接続が行われている。
【００１３】
第２屋根材１０は、支柱Ｓ上にある辺を軸として、回動を行い、図１の実線、及び破線で示したように、支柱Ｓ上にある一方側の辺（縁）に対向している他方側の辺（縁）を昇降動させられるようになっている。
これを可能とするため、第２屋根材１０の上記他端側の辺には、連結機構３０を介して線状体４０の先端が取り付けられている。線状体４０は、例えばワイヤとされている。線状体４０は、２つの滑車５０を介してウインチ６０に至っている。ウインチ６０は、本発明の駆動手段に相当するものであり、上述の線状体４０を巻き解き、或いは巻き取ることができるようになっている。
ウインチ６０が線状体４０を巻き取ると、線状体４０の先端は上昇し、それに伴って線状体４０の先端と接続された連結機構３０、及びこれと接続された第２屋根材１０の上記他端側の辺は上昇する。他方、ウインチ６０が線状体４０を巻き解くと、線状体４０の先端は下降し、それに伴って線状体４０の先端と接続された連結機構３０、及びこれと接続された第２屋根材１０の上記他端側の辺は下降する。以上のような仕組みにより、第２屋根材１０の上記他端側の辺は、上下動を行うようになっている。
【００１４】
第２屋根材１０が、下端付近に位置する際における連結機構３０及びその周辺を、図３及び図４に拡大して示す。
連結機構３０は、接続部材３１と、オフセットフック材３２とを含んで構成される。
【００１５】
接続部材３１は、支持金具３１１と押え金具３１２を含んでいる。支持金具３１１は、直方体形状をしており、共に膜材１１の下面に沿わせて配される２つの本体部３１１Ａと、その両先端を貫通して配される軸３１１Ｂを備えて構成される。押え金具３１２は、板状に形成されている。
図示を省略するが、支持金具３１１と、押え金具３１２の対応する位置には、それぞれを貫通する孔が２つずつ設けられており、それらの孔及び膜材１１を貫通させたボルト３１３に、ナット３１４を螺合させることで、膜材１１の上記他端側の縁に、接続部材３１は固定されている。
【００１６】
オフセットフック材３２は、本発明の回動部材に相当するものであり、この実施形態では、断面略Ｕ字形状の部材とされている。このオフセットフック材３２は、２つの直線部分を備えている。この直線部分のうちの一方の先端近傍には、厚さ方向に貫通する孔が設けられており、その内部に上述した軸３１１Ｂが挿入されている。これにより、オフセットフック材３２は、この軸３１１Ｂを軸として回動できるようになっている。
他方、当該直線部分の基端近傍には、オフセットフック材３２を厚さ方向に跨ぐコの字金具３２２が、軸３２３を介して取り付けられている。オフセットフック材３２は、軸３２３を軸としてコの字金具３２２に対して回動自在とされている。尚、コの字金具３２２の上側には、線状体４０の先端が接続されている。
２つの直線部分の間には、また、溝３２１が設けられている。溝３２１は、軸３１１Ｂと軸３２３とを結ぶ方向を深さ方向とする。
【００１７】
また、梁Ｈの上には、緩衝材７０と、係止棒８０とが設けられている。
緩衝材７０は、屋根材１０の最下方位置を位置決めすると共に、下降して来た屋根材１０が梁Ｈに干渉するのを防止するためのものである。その素材は不問であるが、この実施形態における緩衝材７０は、ゴム等の弾性体にて構成されている。
係止棒８０は、上記溝３２１と係止し合えるような太さに構成された棒状体であり、本発明の係止体に相当する。この係止棒８０は、その両端を、支柱８１にて支えられている。係止棒８０は、上記屋根材１０が最下方位置にあるときに、溝３２１に嵌り、溝３２１と係止し合う位置に設けられている。
【００１８】
上述したように、屋根材１０は、ウインチ６０で線状体４０を巻き取ることにより、上昇させることができ、線状体４０を巻き解くことにより、下降させることができる。
その際の、連結機構３０の動作、係止棒８０との関わりについて、図５を参照して説明する。
【００１９】
ウインチ６０で線状体４０を巻き解くと、線状体４０の先端部は下降し、これにコの字金具３２２、及び軸３２３を介して接続されているオフセットフック材３２も下降する。このとき、オフセットフック材３２の軸３２３には、コの字金具３２２を介して、線状体４０からの上向きの力が働く。これにより、オフセットフック材３２は、溝３２１の開口を下方に向けるような姿勢をとる（図５（ａ））。
屋根材１０が更に下降すると、緩衝材７０に当たる。ここが屋根材１０の最下方位置である。屋根材１０が最下方位置に至っても直ぐにウインチ６０による線状体４０の巻き解きを止めなければ、線状体４０に弛みが出て、線状体４０からコの字金具３２２を介して、オフセットフック材３２に働いていた線状体４０からの上向きの力がなくなる。これにより、オフセットフック材３２は、自重により、軸３１１Ｂを軸として回動し、図５（ｂ）に示すような姿勢をとる。このとき、溝３２１は、その開口を屋根材１０側に向け、その内部に係止棒８０が嵌り込む。
【００２０】
このとき、例えば、下方からの風などにより、膜材１１に上向きの力が働くなど、意図しない上向きの力が屋根材１０に働いたとする。このとき、オフセットフック材３２の直線部分の先端近傍には、接続部材３１を介して、上向きの力が働く。これにより、オフセットフック材３２は、軸３１１Ｂを軸として図５中で言えば反時計周りに回動し、図５（ｃ）に示すような姿勢をとる。このとき、溝３２１と係止棒８０とは互いに係止しあうので、屋根材１０はロックされ、屋根材１０が意図せずに上昇することが避けられる。
【００２１】
図５（ｂ）の状態から、ウインチ６０で線状体４０を巻き取ると、線状体４０には張力が働き、これにより、オフセットフック材３２の軸３２３には、コの字金具３２２を介して、線状体４０からの上向きの力が働く。これにより、オフセットフック材３２は、図５（ｄ）に示したような姿勢をとる。このままウインチ６０で線状体４０を巻き取ると、屋根材１０は、そのまま上昇する。
【００２２】
【発明の効果】
本発明による屋根材の昇降機構は、ロック機構が有していた機能を有すると共に、何らの操作を行わなくても必要に応じてロックを行い、或いは解除できるものとなる。
【図面の簡単な説明】
【図１】本発明の一実施形態が応用された建造物の構成を概略で示す図。
【図２】図１に示した屋根材を示す斜視図。
【図３】図１に示した連結機構及びその周辺の構成を示す側面図。
【図４】図１に示した連結機構及びその周辺の構成を示す斜視図。
【図５】図１に示した連結機構の動作及び係止棒との関わりを説明するための図。
【符号の説明】
１０  屋根材
１１  膜材
３０  連結機構
３１  接続部材
３２  オフセットフック材
４０  線状体
６０  ウインチ
７０  緩衝材
８０  係止棒
３１１  支持金具
３１１Ａ  本体部
３１１Ｂ  軸
３１２  押え金具
３２１  溝
３２３  軸
Ｈ  梁
Ｋ  壁
Ｓ  支柱
Ｙ  屋根
【図１】
0003581678.tif 000002
【図２】
0003581678.tif 000003
【図３】
0003581678.tif 000004
【図４】
0003581678.tif 000005
【図５】
0003581678.tif 000006